(57)【特許請求の範囲】
【請求項１】
槽底に形成された陥没部に排水口が設けられ、該排水口には、上方より上パッキンを介して排水口金具が挿通され、槽底の裏面へ突出した排水口金具に下パッキンを介して排水管などの締結部材が締結されて、該締結部材と排水口金具のフランジ部とで排水口縁部を挟持固定した排水口において、排水口金具のフランジ部上面が伸展され、フランジ部下面外端に段差を付けて該フランジ部より薄い環状舌片を周設して、その環状舌片の上面と鋭角をなす外周端面が形成され、該環状舌片の変形と、この外周端面の鋭角部分による槽底の陥没部への屈曲接触とをさせて、排水口金具のフランジ部と槽底の陥没部との間に生じる隙間が塞ぎ覆われることを特徴とする排水口構造。
【発明の詳細な説明】
【技術分野】
【０００１】  本発明は、浴槽または洗面器などの槽底に陥没部を形成し、該陥没部に排水口が設けられ、該排水口に排水管へ接続する排水口金具を挿通させてなる排水口構造に関するものである。
【背景技術】
【０００２】  従来より、浴槽または洗面器などの排水口は、槽底に陥没部を形成し、該陥没部に排水口が設けられ、該排水口に排水管へ接続する排水口金具を挿通させ、該排水口金具のフランジ部が前記陥没部に埋没させられている構造になっていた。
しかし、排水口金具のフランジ部と槽底の陥没部との間に隙間を生じ、水垢やゴミなどが堆積し易くなり、またカビなどの発生の原因にもなって、見栄え悪く、不衛生にもなり、不都合であった。【０００３】  そこで、浴槽または洗面器などの槽底に設けられた排水口の周囲に、該排水口方向への下り傾斜面でなる陥没部を形成して、この下り傾斜面と相対する斜面を下面に形成したフランジ部が備えられた排水口金具を排水口へ挿通し、排水管などによって締結され、槽底の陥没部の下り傾斜面と排水口金具のフランジ部下面の斜面とを接合して隙間のないようにするものがある。
よって、隙間がない故に、水垢やゴミなどの堆積、カビなどの発生を阻止出来るということである（特許文献１）。【０００４】  ところで、浴槽などの大型の水槽、陶磁製洗面器などの水槽であると、槽底の排水口の位置の精度を定め難く、水密性に不充分さがある上、排水口金具への排水管の接続で締結の負荷が負わされ、特に、水槽が陶磁製の場合には、排水口縁部が欠けたり、割れたりすることが応々にあり、安定した強度の排水口金具のフランジ部を得るためには、補足、補強されなければならなかった。
そこで、一応の厚さがあり、強度を有するフランジ部が備えられた排水口金具を使用し、該排水口金具が上パッキンを介して排水口へ挿通され、また、挿通した該排水口金具に下パッキンを介して排水管などの締結部材が締結され、このような排水口金具と排水管などの締結部材とによって、排水口縁部が上下パッキンを介して挟持固定された。しかし、そのようなものは、既に知られていることである（特許文献２）。
【先行技術文献】
【特許文献】
【０００５】
【特許文献１】  実開昭６２−１２５１７３
【特許文献２】  実公平６−１４６８２
【発明の概要】
【発明が解決しようとする課題】
【０００６】  槽底に設けられた排水口の周囲に下り傾斜面でなる陥没部を形成し、該排水口に挿通した排水口金具のフランジ部下面を陥没部の下り傾斜面と相対する斜面にして、これらの槽底と排水口金具のフランジ部との間に生じる隙間がないように接合されたものは、そのフランジ部と陥没部とに生じる隙間の問題を解決する為に、排水口金具のフランジ部のみならず、槽底の陥没部までもが設計変更させられることになり、全体的な変更にもなりかねなく、大変な大掛かりの作業になり、採算も合わず、不都合である。【０００７】  そして、排水口金具のフランジ部は、排水口縁部が強固に挟持されるための強度を要するものでなければならないにも係らず、該フランジ部の下面を陥没部の下り傾斜面と相対する斜面にし、楔状とされたフランジ部での排水口縁部の挟持は、強度が弱められ、また締結で楔状のフランジ部の先端が変形されて、捲り上げられる可能性も生じ、問題を生じる。【０００８】  また、陥没部の下り傾斜面と、これに相対する排水口金具のフランジ部下面の斜面とは、水密性の点からも精度を良くしなければならないのに、その精度が得られるには困難を要し、よって、締結による接合に妥当なものとはいえない。
従ってまた、陥没部の下り傾斜面と、これに相対するフランジ部下面の斜面とによる接合の水密性を得るためには、パッキンが介在される必要を生じ、このパッキンの介在は、結果的には、隙間を起させることになり、所期の目的の隙間問題解消対策にならない。【０００９】  そこで、結局は、一応の厚さがあり、強度を有するフランジ部が備えられた排水口金具を使用することになり、排水口に挿通させたこのような排水口金具は、排水口との水密性及び緩衝性とが得られるように、排水口縁部が上パッキンと下パッキンとを介して排水口金具のフランジ部と排水管などの締結部材とで挟持固定されることになるが、その結果、排水口金具のフランジ部と槽底の陥没部との間には隙間を生じさせてしまい具合悪い。【００１０】  本発明は、排水口金具のフランジ部の強度と水密性とを有し、締結の緩衝性を保ち、排水口金具のフランジ部と槽底の陥没部との間に生じた隙間が塞ぎ覆われることになって、水垢やゴミ等の堆積、及びカビ等の発生を解消する排水口構造が得られることを目的とする。
【課題を解決するための手段】
【００１１】  本発明の排水口構造は、槽底に形成された陥没部に排水口が設けられ、該排水口には、上方より上パッキンを介して排水口金具が挿通され、槽底の裏面へ突出した排水口金具に下パッキンを介して排水管などの締結部材が締結されて、該締結部材と排水口金具のフランジ部とで排水口縁部を挟持固定した排水口において、排水口金具のフランジ部上面が伸展され、フランジ部下面外端に段差を付けて該フランジ部より薄い環状舌片を周設して、その環状舌片の上面と鋭角をなす外周端面が形成され、該環状舌片の変形と、この外周端面の鋭角部分による槽底の陥没部への屈曲接触とをさせて、排水口金具のフランジ部と槽底の陥没部との間に生じる隙間が塞ぎ覆われるものである。
【発明の効果】
【００１２】  本発明の排水口構造は、排水口金具のフランジ部が、上面を伸展した、該フランジ部より薄い環状舌片を周設して、その環状舌片の上面と鋭角をなす外周端面が形成され、該環状舌片の変形と、この外周端面の鋭角部分による槽底の陥没部への屈曲接触とをさせることで隙間の問題を解消し、このことによって、排水口縁部を挟持締結保持するフランジ部の強度を弱めることなく確保でき、隙間を確実に塞ぎ覆うことができ、隙間に生じる水垢やゴミ等の堆積、カビなどの発生を防止し、結局、これらの問題を解決することができる。【００１３】  本発明の排水口構造は、排水口には、上方より上パッキンを介して排水口金具が挿通され、槽底の裏面へ突出した排水口金具に下パッキンを介して排水管などの締結部材が締結されて、該締結部材と排水口金具のフランジ部とで排水口縁部を挟持固定するものであるので、上パッキン及び下パッキンによって水密性とすることが出来る。
そして、排水口金具のフランジ部に周設した変形する環状舌片と、この外周端面の鋭角部分による槽底の陥没部への屈曲接触とをさせることによって、槽底の陥没部や排水口に多少の寸法、及び位置の誤差があっても、それが収められて、隙間を塞ぎ覆うことができ、隙間に生じる水垢やゴミ等の堆積を防止することができ、また、隙間を塞ぎ覆っているので見栄えが良い。
【図面の簡単な説明】
【００１４】
【図１】  槽底に形成された陥没部に排水口金具を装着した状態の断面図である。
【図２】  環状舌片が周設されたフランジ部を備えた排水口金具の断面図である。
【図３】  槽底に形成された陥没部に排水口金具が装着されてのフランジ部に周設する環状舌片の状態を示す拡大断面図である。
【図４】  槽底に形成された排水口方向への下り傾斜面でなる陥没部に排水口金具を装着した状態の断面図である。
【発明を実施するための形態】
【実施例１】
【００１５】  本発明の実施例１の排水口構造を図面に基いて説明する。
図１に示す如く、浴槽または洗面器などの槽底１０に陥没部１１を形成し、該陥没部に排水口１２が設けられる。
排水口１２には、上方より上パッキン３を介して排水口金具１がそのフランジ部２を陥没部１１に埋没するように挿通され、槽底１０の裏面へ突出した排水口金具１に下パッキン５を介して排水管４などの締結部材が螺合締結されて、該締結部材と排水口金具１のフランジ部２とで排水口縁部１３を挟持固定する。【００１６】  排水口金具１は、図２に示す如く、その上部にフランジ部２を形成し、該フランジ部の上面２１が伸展された、フランジ部２より薄い環状舌片２２を周設する。該環状舌片の外周端面２５がフランジ部上面２１を伸展した環状舌片２２の上面２３と鋭角２４をなすように形成される。【００１７】  槽底１０の陥没部１１へ排水口金具１のフランジ部２を埋没挿通させることによって、フランジ部２に周設される環状舌片２２が、図３に示す如く、変形され、この変形と、更に、環状舌片２２の外周端面２５が上面と鋭角になるよう形成された鋭角２４部分による槽底１０の陥没部１１への屈曲接触とをさせて、排水口金具１のフランジ部２と、槽底１０の陥没部１１との間に生じる隙間１４が塞ぎ覆われることになる。
そして、排水口金具のフランジ部２と、槽底の陥没部１１との間に生じる隙間１４が、該フランジ部に周設された環状舌片２２の変形と、該環状舌片２２の外周端面２５の鋭角２４部分を槽底１０の陥没部１１への屈曲接触させることとで塞ぎ覆われ、よって、この隙間１４に堆積する水垢やゴミ等が無く、また、カビなどの発生をもさせないことになる。
【実施例２】
【００１８】  本発明の実施例２の排水口構造を図面に基いて説明する。
図４に示す如く、浴槽または洗面器などの槽底１０１に、排水口方向への下り傾斜面でなる陥没部１１１を形成し、該陥没部に排水口１２１が設けられる。
排水口１２１には、上方より上パッキン３を介して排水口金具１がそのフランジ部２を陥没部１１１に埋設するように挿通され、槽底１０１の裏面へ突出した排水口金具１に下パッキン５を介して排水管４などの締結部材が螺合締結されて、該締結部材と排水口金具１のフランジ部２とで排水口縁部１３１を挟持固定する。【００１９】  排水口金具１は、その上部にフランジ部２を形成し、該フランジ部の上面が伸展された、該フランジ部２より薄い環状舌片２２を周設し、該環状舌片の外周端面２５がフランジ部上面を伸展した環状舌片２２の上面と鋭角になるよう形成される。【００２０】  槽底１０１の陥没部１１１へ排水口金具１のフランジ部２を埋没挿通させることによって、フランジ部２に周設される環状舌片２２が変形され、この変形と、更に、環状舌片２２の外周端面２５の鋭角部分が槽底１０１の陥没部１１１への屈曲接触させられて、排水口金具１のフランジ部２と、槽底１０１の陥没部１１１との間に生じる隙間１４１が塞ぎ覆われることになる。
そして、この隙間１４１に堆積する水垢やゴミ等が無く、また、カビなどの発生をもさせないことになる。
【符号の説明】
【００２１】１        排水口金具
１０      槽底
１０１    槽底
１１      陥没部
１１１    下り傾斜面でなる陥没部
１２      排水口
１２１    排水口
１３      排水口縁部
１３１    排水口縁部
１４      隙間
１４１    隙間
２        フランジ部
２１      上面
２２      環状舌片
２３      上面
２４      鋭角
２５      外周端面
３        上パッキン
４        排水管
５        下パッキン
【図１】
0005904461.tif 000002
【図２】
0005904461.tif 000003
【図３】
0005904461.tif 000004
【図４】
0005904461.tif 000005